(57)【要約】      （修正有）【課題】トイレ使用時にトイレ貯留水の跳ね返りや飛び散り等の飛沫を防ぐトイレ用泡噴射装置を提供する。【解決手段】トイレ用泡噴射装置は加圧噴射装置１と貯水タンク９で構成され、貯水タンクの縁に加圧噴射装置をフック等で装着してトイレ本体傍に配置する。加圧噴射装置表面には電源スイッチ１ａと人体検知センサー１ｂとＬＥＤ表示灯１ｃがあり、側面には電源ソケット１ｄが配置され電源プラグを差し込むことでＵＳＢ電源アダプターから電源ケーブル１ｅを通して電源が供給される。加圧噴射装置内には加圧容器６と空気ポンプ７と制御基盤８があり、加圧容器からは泡噴射チューブ２ａが出ていてその先端に泡噴射口２がありその泡噴射口を便器に固定する吸盤５が付いている。更に加圧容器から希釈洗剤水チューブ３ａと水ポンプ制御ケーブル３ｂが出て共に貯水タンク内に設置された水ポンプに繋がっている。加圧容器と空気ポンプは空気チューブ７ａで繋がれている。【選択図】図２
0003232553.tif 000002
【実用新案登録請求の範囲】
【請求項１】
トイレの飛沫防止を目的とした装置で、既設トイレに簡単に設置できる装置で、トイレ使用の都度センサーが入室者を検知しトイレ貯留水上に泡を噴射し飛沫防止の泡膜を敷設する装置
【請求項２】
密閉容器内にて希釈洗剤水と空気を加圧し噴射チューブ内で混合させて泡を作り噴射する装置
【考案の詳細な説明】
【技術分野】
【０００１】  本考案は、希釈洗剤水と空気を加圧混合して泡を噴射させ、トイレ貯留水上に泡膜を敷設して飛沫を防止する装置に関するものである。
【背景技術】
【０００２】  トイレ使用時に、大便や小便を排出する際にトイレ貯留水への落下の衝撃により跳ね返りや飛び散り等の飛沫により便器や便座やトイレの床や壁を汚してしまうことが多い。
【先行技術文献】
【特許文献】
【０００３】
【特許文献１】特開２０２０−０２０２５０  広報
【特許文献２】特開２０１７−０８２５６７  広報
【考案の概要】
【考案が解決しようとする課題】
【０００４】  飛沫を防止する手段として、トイレ貯留水上に紙を敷くあるいは泡膜を敷く等の対応策が知られているが、トイレ使用の都度これらを実行するのは面倒である。また、トイレ本体に泡を噴出する機能を持たせたトイレもあるが新たなトイレ本体購入費及び工事費などが高額となり経済的な負担が大きく簡単に設置するのは難しい。
【課題を解決するための手段】
【０００５】  本考案は、トイレ使用の都度自動的に泡を噴射してトイレ貯留水上に泡膜を敷くことで大便や小便の落下の衝撃を和らげ跳ね返りや飛び散り等の飛沫を防ぐことで前述の課題を解決しようとするものである。更に本考案の装置は、既存のトイレに特別な工事をすることなく簡単に設置することが可能であり、泡の材料の希釈洗剤水も市販の台所洗剤を数十倍に薄めて使うなど経済的な負担を軽微なものとすることで前述の課題を解決しようとするものである。
【考案の効果】
【０００６】  本考案のトイレ用泡噴射装置はトイレ使用の都度泡を噴射してトイレ貯留水上に泡膜を敷くことにより大便や小便の落下を泡が包み込み衝撃を和らげるため飛沫を防ぐことができるので便器や便座の汚れ及びトイレの床や壁の汚れを軽減することができる。更に本考案の装置は既存のトイレに簡単に設置できるので、トイレ本体に泡を噴出する等本装置と同等の機能を持たせたトイレに交換設置する場合に比べ大幅な経済的負担の軽減を図ることができる。更に泡の材料は市販の台所洗剤を薄めたものを使うので経済的負担の軽減及びトイレ使用の都度便器内を洗剤で掃除することになり汚れや臭い防止などトイレの清潔保持に有効である。
【図面の簡単な説明】
【０００７】
【図１】本考案のトイレ用泡噴射装置の一実施例を示す構成図である。
【図２】本トイレ用泡噴射装置の詳細図である。
【考案を実施するための形態】
【０００８】  本考案のトイレ用泡噴射装置は加圧噴射装置と貯水タンクで構成され、貯水タンクの縁に加圧噴射装置をフック等で装着してトイレ本体傍に配置する。加圧噴射装置表面には電源スイッチと人体検知センサーとＬＥＤ表示灯があり、側面には電源ソケットが配置され電源プラグを差し込むことでＵＳＢ電源アダプターから電源ケーブルを通して電源が供給される。加圧噴射装置内には加圧容器と空気ポンプと制御基盤があり、加圧容器からは泡噴射チューブが出ていてその先端に泡噴射口がありその泡噴射口を便器に固定する吸盤が付いている。更に加圧容器から希釈洗剤水チューブと水ポンプ制御ケーブルが出て共に貯水タンク内に設置された水ポンプに繋がっている。加圧容器と空気ポンプは空気チューブで繋がれている。また加圧容器には水位センサーが設置されている。制御基盤からは電源スイッチと人体検知センサーとＬＥＤ表示灯と空気ポンプと水位センサーと水ポンプに各々制御ケーブルが接続されている。貯水タンクには台所用洗剤液を１０倍から３０倍程度に薄めた希釈洗剤水が貯水されている。
【実施例】
【０００９】  以下、添付図面に従って一実施例を説明する。１は加圧噴射装置であり９は希釈洗剤水１０を貯水している貯水タンクである。加圧噴射装置１の上部には電源スイッチ１ａと人体検知センサー１ｂとＬＥＤ表示灯１ｃが配置され、側面には電源ソケット１ｄが配置されている。加圧噴射装置１には加圧容器６と空気ポンプ７と制御基盤８が内蔵されている。加圧容器６は密閉されていて上部には泡噴射チューブ２ａと希釈洗剤水チューブ３ａと空気チューブ７ａと水位センサー８ｄが配置されている。泡噴射チューブ２ａの一方は加圧容器６内にあり先端部が希釈洗剤水出口２ｃとなり希釈洗剤水１０の満水位置から上側の空気層の位置に混合空気穴２ｂがあり、加圧噴射装置１の穴から出た他方の先端には泡噴射口２があり傍に泡噴射口２を便器に固定する吸盤５が付いいる。希釈洗剤水チューブ３ａの一方は加圧容器６内にあり先端部が逆止弁３ｃが付いた注入口であり加圧容器６が加圧された際に希釈洗剤水１０が水ポンプ３に逆流するのを防いでいて、加圧噴射装置１の穴から出た他方は貯水タンク９内の水ポンプ３に繋がっている。空気チューブ７ａは加圧噴射装置１内で加圧容器６と空気ポンプ７に繋がっている。制御基盤８は電源ケーブル１ｅで電源スイッチ１ａを介して電源ソケット１ｄと接続している。ＵＳＢ電源アダプター４に接続されている電源ケーブル４ａの先端の電源プラグ４ｂを電源ソケット１ｄに差し込み接続する。制御基盤８は人体検知センサー制御ケーブル８ａで人体検知センサー１ｂと、ＬＥＤ表示灯制御ケーブル８ｂでＬＥＤ表示灯１ｃと、水ポンプ制御ケーブル３ｂで水ポンプ３と、空気ポンプ制御ケーブル８ｃで空気ポンプ７と、水位センサー制御ケーブル８ｅで水位センサー８ｄと接続されている。【００１０】  ＵＳＢ電源アダプター４をＡＣ１００Ｖコンセントに接続し、加圧噴射本体１の電源スイッチ１ａを接にして作動状態にする。制御基盤８に搭載しているＩＣプログラムにより順次作動が進められる。まず作動開始で制御基盤８から水ポンプ制御ケーブル３ｂを介して貯水タンク９内の水ポンプ３を作動させて希釈洗剤水１０を加圧容器６に注水する。加圧容器６に設置された水位センサー８ｄの位置まで希釈洗剤水１０が達すると水位センサー制御ケーブル８ｅを介して制御基盤８に満水信号が送られ直ちに水ポンプ３を停止させて注水が完了する。この状態が待機状態となる。【００１１】  待機状態においてトイレに入室者があると人体検知センサー１ｂが検知し人体検知センサー制御ケーブル８ａを介して制御基盤８に伝えられ直ちに制御基盤８から空気ポンプ制御ケーブル８ｃを介して空気ポンプ７を作動させ加圧容器６を加圧する。この加圧により加圧容器６内の泡噴射チューブ２ａの先端部にある希釈洗剤水出口２ｃから希釈洗剤水１０を圧送し更に混合用空気穴２ｂから空気を圧送することで泡噴射チューブ２ａ内で希釈洗剤水１０と空気が混合して泡噴射口２から泡となってトイレに噴射されトイレ貯留水上に泡膜が敷設される。一定時間が経過すると空気ポンプ７を停止させ泡の噴射を停止させる。一定時間とはトイレ入室からトイレ使用開始までの時間でこの間に泡が噴射及び停止するように制御基盤８のＩＣにプログラムされている。トイレ退室後に制御基盤８から水ポンプ制御ケーブル３ｂを介して貯水タンク９内の水ポンプ３を作動させて希釈洗剤水１０を加圧容器６に注水する。加圧容器６に設置された水位センサー８ｄの位置まで希釈洗剤水１０が達すると水位センサー制御ケーブル８ｅを介して制御基盤８に満水信号が送られ直ちに水ポンプ３を停止させて注水が完了し待機状態となる。本装置は貯水タンク９の希釈洗剤水１０が無くなるまで繰り返し使用できるが、希釈洗剤水１０が無くなるとＬＥＤ表示灯１ｃが点滅して警報をだすので台所洗剤を水で数十倍に薄めて希釈洗剤水１０を作り、貯水タンク９に補充することで更に継続して使用することができる。
【符号の説明】
【００１２】１    加圧噴射装置
１ａ  電源スイッチ
１ｂ  人体検知センサー
１ｃ  ＬＥＤ表示灯
１ｄ  電源ソケット
１ｅ  電源ケーブル
２    泡噴射口
２ａ  泡噴射チューブ
２ｂ  混合用空気穴
２ｃ  希釈洗剤水出口
３    水ポンプ
３ａ  希釈洗剤水チューブ
３ｂ  水ポンプ制御ケーブル
３ｃ  逆止弁
４    ＵＳＢ電源アダプター
４ａ  電源ケーブル
４ｂ  電源プラグ
５    吸盤
６    加圧容器
７    空気ポンプ
７ａ  空気チューブ
８    制御基盤
８ａ  人体検知センサー制御ケーブル
８ｂ  ＬＥＤ表示灯制御ケーブル
８ｃ  空気ポンプ制御ケーブル
８ｄ  水位センサー
８ｅ  水位センサー制御ケーブル
９    貯水タンク
１０  希釈洗剤水
【図１】
0003232553.tif 000003
【図２】
0003232553.tif 000004
【手続補正書】
【提出日】令和3年3月10日(2021.3.10)
【手続補正１】
【補正対象書類名】実用新案登録請求の範囲
【補正対象項目名】全文
【補正方法】変更
【補正の内容】
【実用新案登録請求の範囲】
【請求項１】
長円の筒状容器の加圧噴射装置とバケツ状の貯水タンクから構成され、加圧噴射装置上面には電源スイッチと人体検知センサーとＬＥＤ表示灯が設置されており、側面には電源ソケットが設置されており、背面には貯水タンクに装着するためのフックが設置されており、内部には密閉できる円筒状の加圧容器と空気ポンプと制御基盤が配置されており、加圧容器上面から内部に挿入された泡噴射チューブは端末が希釈洗剤水出口となり同チューブ反対側は加圧噴射装置上面を貫通しその先端には泡噴射口がありこれを便器に固定する吸盤が付属しており、加圧容器上面から内部に挿入された希釈洗剤水チューブは端末に加圧時の逆流防止のために逆止弁が装着されており同チューブ反対側は制御基盤の水ポンプ制御ケーブルと共に加圧噴射装置上面を貫通して貯水タンク内に配置された水ポンプに繋がっており、空気ポンプと繋がれている空気チューブは加圧容器上面から内部に挿入されており、また加圧容器上部には水位センサーが設置されており、制御基盤からは前記水ポンプ制御ケーブルの他に電源スイッチと人体検知センサーとＬＥＤ表示灯と空気ポンプと水位センサーに各々制御ケーブルが接続されているという特徴を持ったトイレ用泡噴射装置。
【請求項２】
加圧容器上面から内部に挿入された泡噴射チューブは容器底面に近い位置に希釈洗剤水出口となる先端があり、容器の満水位時の空気帯の位置に同チューブの空気穴が設けられており、加圧時に希釈洗剤水と空気がそれぞれ同チューブに圧送されて混合され同チューブ反対側の先端にある泡噴射口から泡となって噴射することを特徴とする請求項１記載のトイレ用泡噴射装置。